(57)【要約】【課題】ボビン収納ケースの組立および分解を容易に行うことが可能であるとともに、インクシートカートリッジの外面部に突出部が形成されず、かつ、部品点数の増加を抑制することが可能な、インクシートカートリッジを提供する。【解決手段】このインクシートカートリッジ１０では、上側部品２に、爪部２ｈが設けられ、下側部品３に、爪部２ｈが挿入される凹状の挿入部３ｈが設けられている。爪部２ｈの両外側面には、凸状の係合部２ｉが設けられ、凹状の挿入部３ｈの両内側面には、凹状の係合部２ｉが係合する溝部３ｉが設けられている。溝部３ｉには、係合部２ｉをガイドすることにより爪部２ｈを湾曲させるガイド部３１ｉと係合部２ｉを固定させる係止部３２ｉとを有している。また、爪部２ｈは、ボビン収納ケース１の外面部から突出しない形状に形成されている。【選択図】図１
2006297851.tif 000002
【特許請求の範囲】
【請求項１】
印字を行うためのインクシートと、前記インクシートが巻き付けられた供給ボビンと、前記インクシートを巻き取るための巻取ボビンと、上側部品と下側部品とから構成されることにより上下に分割可能であり、前記供給ボビンおよび前記巻取ボビンを回転可能に収納するボビン収納ケースとを備え、プリンタに装着されるインクシートカートリッジにおいて、
前記ボビン収納ケースの上側部品は、両外側面のそれぞれに凸状の係合部が一体的に設けられた爪部を含み、
前記ボビン収納ケースの下側部品は、前記爪部が挿入される凹状の挿入部を含み、
前記凹状の挿入部の両内側面には、それぞれ、前記爪部に設けられた前記凸状の係合部をガイドすることにより前記爪部を湾曲させるガイド部と、前記湾曲した爪部がもとに戻ることにより前記凸状の係合部を固定する係止部とを有する溝部が設けられており、
前記溝部のガイド部の入り口近傍には、面取部が設けられており、
前記爪部が前記凹状の挿入部に挿入されて、前記爪部に設けられた前記凸状の係合部が前記係止部により固定された状態で、前記爪部の外表面部が前記ボビン収納ケースの外面部から突出することなく前記上側部品と前記下側部品とが固定される、インクシートカートリッジ。
【請求項２】
印字を行うためのインクシートと、
前記インクシートが巻き付けられた供給ボビンと、
前記インクシートを巻き取るための巻取ボビンと、
上側部品と下側部品とから構成されることにより上下に分割可能であり、前記供給ボビンおよび前記巻取ボビンを回転可能に収納するボビン収納ケースとを備え、
前記上側部品および前記下側部品の一方には、凸状の係合部が一体的に設けられており、
前記上側部品および前記下側部品の他方には、前記凸状の係合部のガイドになるガイド部と前記凸状の係合部を固定する係止部とを有する溝部が設けられている、インクシートカートリッジ。
【請求項３】
前記上側部品は、前記凸状の係合部が外側面に設けられた爪部を含み、
前記下側部品は、前記爪部が挿入される凹状の挿入部を含み、
前記溝部は、前記凹状の挿入部の内側面に設けられている、請求項２に記載のインクシートカートリッジ。
【請求項４】
前記爪部が前記凹状の挿入部に挿入されて、前記爪部に設けられた前記凸状の係合部が前記係止部により固定された状態で、前記爪部の外表面部が前記ボビン収納ケースの外面部から突出することなく前記上側部品と前記下側部品とが固定される、請求項３に記載のインクシートカートリッジ。
【請求項５】
前記凸状の係合部は、前記爪部の両外側面のそれぞれに設けられており、
前記溝部は、前記凹状の挿入部の両内側面のそれぞれに設けられている、請求項３または４に記載のインクシートカートリッジ。
【請求項６】
前記溝部のガイド部の入り口近傍には、面取部が設けられている、請求項２〜５のいずれか１項に記載のインクシートカートリッジ。
【発明の詳細な説明】
【技術分野】
【０００１】
この発明は、インクシートカートリッジに関し、特に、プリンタに装着されるインクシートカートリッジに関する。
【背景技術】
【０００２】
従来、プリンタに装着されるインクシートカートリッジが知られている（たとえば、特許文献１〜４参照）。
【０００３】
上記特許文献１には、インクリボンを巻き付けてあるリボン供給スプール軸（供給ボビン）と使用済みのインクリボンを巻き取るリボン巻取スプール軸（巻取ボビン）とが回転可能に収納されるスプール軸収納部を有するシェル（ボビン収納ケース）を含むインクリボンカートリッジ（インクシートカートリッジ）において、シェルが、スプール軸収納部を有するシェル本体と、蓋部とから構成され、蓋部が、シェル本体に一体成形されたヒンジ部により開閉可能に取り付けられたインクリボンカートリッジ（インクシートカートリッジ）が開示されている。このインクリボンカートリッジでは、蓋部に設けられた係合片の係合爪とシェル本体に設けられた係合孔とが係合することにより蓋部が閉じた状態で固定される。また、シェル本体にヒンジ部が一体成形されているため、ヒンジ部には突出部が形成されている。この特許文献２によるインクリボンカートリッジは、インクリボンの使用後に蓋部を開けて、内部のスプール軸を交換した後、再び蓋部を閉めることにより、シェル（ボビン収納ケース）の再利用が可能である。
【０００４】
また、上記特許文献２には、インクリボンを巻き付けてあるリボン供給スプール軸（供給ボビン）と使用済みのインクリボンを巻き取るリボン巻取スプール軸（巻取ボビン）とが回転可能に収納されるスプール軸収納部を有するシェル（ボビン収納ケース）を含むインクリボンカートリッジ（インクシートカートリッジ）において、シェルが、スプール軸収納部を有するシェル本体と、シェル本体から分離された蓋部とから構成され、蓋部とシェル本体とをヒンジによって組み立てることにより蓋部が開閉可能となるインクリボンカートリッジ（インクシートカートリッジ）が開示されている。このインクリボンカートリッジでは、蓋部に設けられた係合片の係合爪とシェル本体に設けられた係合孔とが係合することにより蓋部が閉じた状態で固定される。また、ヒンジ部は、蓋部を開閉可能に固定するために突出した状態となっている。この特許文献２によるインクリボンカートリッジは、上記特許文献１と同様、インクリボンの使用後に蓋部を開けて、内部のスプール軸を交換した後、再び蓋部を閉めることにより、シェルの再利用が可能である。
【０００５】
また、上記特許文献３には、シートを繰り出す供給用ボビンおよびシートを巻き取る巻取用ボビンをそれぞれ回転可能に収納するアッパーカセット（上側部品）およびロアーカセット（下側部品）からなるカセットケースにおいて、アッパーカセットとロアーカセットとを連結するアッパーカセットの連結部に、スライド可能な止め具を取り付けることにより、アッパーカセットとロアーカセットとを固定することが可能なカセットケース（ボビン収納ケース）が開示されている。このカセットケースでは、止め具をスライドさせることにより、アッパーカセットとロアーカセットとを分解することができる。そして、使用済みの供給ボビンおよび巻取ボビンを交換した後、再びアッパーカセットとロアーカセットとを固定することにより、ケース本体の再利用が可能である。
【０００６】
また、特許文献４には、巻取コア（巻取ボビン）と、供給コア（供給ボビン）と、熱転写シート（インクシート）とからなるシート体を収納する熱転写シート用カセット（インクシートカートリッジ）において、コア保持体の内面に設けられた凹状のレールと、蓋体
に設けられた突起とを係合させることにより、蓋体に設けられた突起が凹状のレールにガイドされて、蓋体とコア保持体とを容易に取り付けることが可能な熱転写シート用カセット（インクシートカートリッジ）が開示されている。この熱転写シート用カセットでは、巻取コアおよび供給コアを、それぞれ回転可能に収納する１つのコア保持体と、コア保持体を覆う２つの蓋体とを有している。
【０００７】
また、従来、熱転写プリンタに利用されるインクシートカートリッジが知られている。図１６は、従来のインクシートカートリッジの分解斜視図である。図１７は、従来のインクシートカートリッジの全体斜視図である。図１８は、従来のボビン収納ケースの全体斜視図である。図１９〜図２３は、図１６および図１７に示した従来のインクシートカートリッジの詳細構造を説明するための図である。図１６〜図２３を参照して、従来のインクシートカートリッジの構造について説明する。
【０００８】
従来のインクシートカートリッジ１００は、図１６に示すように、ボビン収納ケース１０１を構成する樹脂製の上側部品１０２および樹脂製の下側部品１０３と、インクシート１０６を供給する供給ボビン１０４と、インクシート１０６を巻き取る巻取ボビン１０５と、インクシート１０６とを備えている。
【０００９】
また、図１６に示すように、ボビン収納ケース１０１を構成する上側部品１０２は、供給ボビン１０４を収納する供給ボビン収納部１０２ａと、巻取ボビン１０５を収納する巻取ボビン収納部１０２ｂと、供給ボビン収納部１０２ａと巻取ボビン収納部１０２ｂとを連結する連結部１０２ｃおよび１０２ｄとを備えている。また、上側部品１０２の連結部１０２ｄには、印刷時にかかる負荷によってインクシートカートリッジ１００がねじれるのを防止するための補強部１０２ｊが、連結部１０２ｄの表面に対して垂直方向に延びるように設けられている。また、供給ボビン収納部１０２ａの内部には、供給ボビン１０４を回転可能に保持する供給ボビン保持部１０２ｅが設けられ、巻取ボビン収納部１０２ｂの内部には、巻取ボビン１０５を回転可能に保持する巻取ボビン保持部１０２ｆが設けられている。また、上側部品１０２の供給ボビン収納部１０２ａおよび巻取ボビン収納部１０２ｂの一方の側端面には、下側部品１０３を固定するためのコの字形状の嵌合部１０２ｇが設けられている。上側部品１０２の供給ボビン収納部１０２ａおよび巻取ボビン収納部１０２ｂの他方の端部側には、下側部品１０３を固定するための下側に突出した爪部１０２ｈが設けられている。また、爪部１０２ｈの内面側には、下側部品１０３を固定するための段差１０２ｉが設けられている。
【００１０】
また、図１６に示すように、ボビン収納ケース１０１を構成する下側部品１０３は、上側部品１０２と同様に、供給ボビン１０４を収納する供給ボビン収納部１０３ａと、巻取ボビン１０５を収納する巻取ボビン収納部１０３ｂと、供給ボビン収納部１０３ａと巻取ボビン収納部１０３ｂとを連結する連結部１０３ｃおよび１０３ｄとを備えている。また、供給ボビン収納部１０３ａの内部には、供給ボビン１０４を回転可能に支持する供給ボビン支持部１０３ｅが設けられ、巻取ボビン収納部１０３ｂの内部には、巻取ボビン１０５を回転可能に支持する巻取ボビン支持部１０３ｆが設けられている。また、下側部品１０３の供給ボビン収納部１０３ａおよび巻取ボビン収納部１０３ｂの一方の側端面には、上側部品１０２のコの字形状の嵌合部１０２ｇと嵌合する突起部１０３ｇが設けられている。下側部品１０３の供給ボビン収納部１０３ａおよび巻取ボビン収納部１０３ｂの他方の端部側には、上側部品１０２の爪部１０２ｈが挿入される凹状の挿入部１０３ｈが設けられている。また、凹状の挿入部１０３ｈには、爪部１０２ｈの段差１０２ｉと係合する係合部１０３ｉが設けられている。
【００１１】
また、供給ボビン１０４には、インクシート１０６が巻き付けられるシート供給側軸部１０４ａと、フランジ部１０４ｂと、駆動側軸部１０４ｃと、駆動側軸部１０４ｃ側に設
けられ、図示しないプリンタのボビン駆動リールに係合する３つの凹部を有する係合部１０４ｄと、従動側軸部１０４ｅとが設けられている。
【００１２】
また、巻取ボビン１０５には、インクシート１０６が巻き取られるシート巻取側軸部１０５ａと、フランジ部１０５ｂと、駆動側軸部１０５ｃと、駆動側軸部１０５ｃ側に設けられ、図示しないプリンタのボビン駆動リールに係合する３つの凹部を有する係合部１０５ｄと、従動側軸部１０５ｅとが設けられている。
【００１３】
次に、図１８〜図２３を参照して、従来のインクシートカートリッジ１００の上側部品１０２と下側部品１０３との組立方法について説明する。まず、上側部品１０２の嵌合部１０２ｇを、下側部品１０３の突起部１０３ｇに嵌合させる。その後、上側部品１０２の爪部１０２ｈを、図１８、図１９、図２１および図２２の矢印Ａ方向に移動することによって、下側部品１０３の凹状の挿入部１０３ｈに挿入する。これにより、図２０および図２３に示すように、上側部品１０２に設けられた爪部１０２ｈの段差１０２ｉが、下側部品１０３の凹状の挿入部１０３ｈに設けられた係合部１０３ｉと係合されるので、上側部品１０２と下側部品１０３とが固定される。この時、上側部品１０２の連結部１０２ｄには、印刷時にかかる負荷によってインクシートカートリッジ１００がねじれるのを防止するための補強部１０２ｊが設けられているため湾曲しにくい。このため、上側部品１０２の爪部１０２ｈを下側部品１０３の挿入部１０３ｈに挿入する際には、下側部品１０３を図１９および図２２の矢印Ｂ方向（内側方向）に湾曲させることによって、爪部１０２ｈが挿入部１０３ｈに挿入される。また、分解時には、上側部品１０２の爪部１０２ｈを外側に湾曲させることによって、爪部１０２ｈを下側部品１０３の挿入部１０３ｈから取り外していた。
【特許文献１】特開平９−１３６４６４号公報
【特許文献２】特開平６−２４６９９５号公報
【特許文献３】特開平９−３２３４５６号公報
【特許文献４】特開２００５−４７０５４号公報
【発明の開示】
【発明が解決しようとする課題】
【００１４】
しかしながら、図１６〜図２３に示した従来のインクシートカートリッジ１００では、上記のように、組立作業時に、下側部品１０３を内側に湾曲させる必要があるために、下側部品１０３が破損する可能性があるという問題点があった。また、上側部品１０２の連結部１０２ｄには、印刷時の負荷によるねじれを防止するために補強部１０２ｊが設けられているため、上側部品１０２を湾曲させることが困難であり、かつ、爪部１０２ｈは、他の部分に比べて厚みが大きいためにたわみにくい。このため、爪部１０２ｈを挿入部１０３ｈから取り外すのが困難であるとともに、爪部１０２ｈを無理に外側に湾曲させて取り外そうとすると、爪部１０２ｈに必要以上の荷重が加わり、爪部１０２ｈが折れる場合があるという不都合があった。このため、ボビン収納ケース１０１を容易に分解するのが困難であるという問題点があった。
【００１５】
また、上記特許文献１に開示されたインクリボンカートリッジ（インクシートカートリッジ）では、蓋部がシェル本体に一体成形されたヒンジ部により開閉可能に取り付けられることにより、ヒンジ部に突出部が形成される。このため、突出部の分だけ、インクリボンカートリッジの外形が大きくなるとともに、プリンタ内部の部品が、突出部に接触するおそれがあるという問題点がある。
【００１６】
また、上記特許文献２に開示されたインクリボンカートリッジ（インクシートカートリッジ）では、特許文献１と同様に、蓋部をヒンジによって開閉可能に取り付けているため
、ヒンジ部が突出する。このため、ヒンジ部の突出分だけ、インクリボンカートリッジの外形が大きくなるとともに、プリンタ内部の部品が、突出したヒンジ部に接触するおそれがあるという問題点がある。さらに、シェル本体とシェル本体から分離された蓋部とをヒンジによって組み立てるため、ヒンジ部の組立に時間を要するという問題点がある。
【００１７】
また、上記特許文献３に開示されたカセットケースでは、アッパーカセットとロアーカセットとをスライド可能な２つの止め具によって固定するため、別途２つの止め具を取り付ける必要があるという不都合がある。そのため、部品点数が増加するという問題点がある。
【００１８】
また、上記特許文献４に記載された熱転写シート用カセットでは、１つのコア保持体と、２つの蓋体とから構成されているため、１つの蓋体でコア保持体を覆う場合に比べて、部品点数および組立工数が増加するという問題点がある。
【００１９】
この発明は、上記のような課題を解決するためになされたものであり、この発明の１つの目的は、ボビン収納ケースの組立および分解を容易に行うことが可能であるとともに、インクシートカートリッジの外面部に突出部が形成されず、かつ、部品点数の増加を抑制することが可能な、インクシートカートリッジを提供することである。
【課題を解決するための手段】
【００２０】
この発明の第１の局面におけるインクシートカートリッジは、印字を行うためのインクシートと、インクシートが巻き付けられた供給ボビンと、インクシートを巻き取るための巻取ボビンと、上側部品と下側部品とから構成されることにより上下に分割可能であり、供給ボビンおよび巻取ボビンを回転可能に収納するボビン収納ケースとを備え、プリンタに装着されるインクシートカートリッジにおいて、ボビン収納ケースの上側部品は、両外側面のそれぞれに凸状の係合部が一体的に設けられた爪部を含み、ボビン収納ケースの下側部品は、爪部が挿入される凹状の挿入部を含み、凹状の挿入部の両内側面には、それぞれ、爪部に設けられた凸状の係合部をガイドすることにより爪部を湾曲させるガイド部と、湾曲した爪部がもとに戻ることにより凸状の係合部を固定する係止部とを有する溝部が設けられており、溝部のガイド部の入り口近傍には、面取部が設けられており、爪部が凹状の挿入部に挿入されて、爪部に設けられた凸状の係合部が係止部により固定された状態で、爪部の外表面部がボビン収納ケースの外面部から突出することなく上側部品と下側部品とが固定される。
【００２１】
この第１の局面によるインクシートカートリッジでは、上記のように、ボビン収納ケースの上側部品を、外側面に凸状の係合部が設けられた爪部を含むように構成するとともに、ボビン収納ケースの下側部品を、爪部が挿入される凹状の挿入部を含むように構成し、かつ、凹状の挿入部の内側面に、爪部に設けられた凸状の係合部をガイドすることにより爪部を湾曲させるガイド部と湾曲した爪部がもとに戻ることにより凸状の係合部を固定する係止部とを有する溝部を設けることにより、上側部品と下側部品とを組み立てる際には、凸状の係合部が溝部のガイド部に沿ってガイドされた後、溝部の係止部と係合するので、凸状の係合部に必要以上の荷重が加わるのを抑制することができる。また、爪部を押し込むことにより、爪部に設けられた凸状の係合部が、凹状の挿入部の側面に設けられた溝部の係止部から離間することにより凸状の係合部と係止部との係合を解除することができるので、上側部品と下側部品とを容易に分解することができる。これにより、ボビン収納ケースの組立および分解を容易に行うことができる。また、上側部品に設けられた爪部の側面に、凸状の係合部を一体的に設けることにより、凸状の係合部を設けたとしても、部品点数が増加するのを抑制することができる。また、爪部が凹状の挿入部に挿入されて、爪部に設けた凸状の係合部が溝部の係止部により固定された状態で、爪部の外表面部がボビン収納ケースの外面部から突出することなく上側部品と下側部品とが固定されることに
より、ボビン収納ケースの外表面部に突出部が形成されることがないので、ボビン収納ケースの外形が大きくなるのを防止することができるとともに、突出部がプリンタ内部の部品と接触するという不都合が発生するのを防止することができる。また、凸状の係合部を、爪部の両外側面のそれぞれに設けるとともに、溝部を、凹状の挿入部の両内側面のそれぞれに設けることにより、一対の凸状の係合部が、一対の溝部と係合する。このため、爪部をより安定的に溝部のガイド部に沿ってガイドすることができるとともに、一対の溝部の係止部と一対の凸状の係合部とが当接することにより、より安定的に凸状の係合部を固定することができる。また、溝部のガイド部の入り口近傍に、面取部を設けることにより、溝部のガイド部の入り口近傍が広くなるので、爪部に設けられた凸状の係合部を凹状の挿入部の側面に設けられた溝部のガイド部に容易に係合させることができる。これにより、ボビン収納ケースの組立をより容易に行うことができる。
【００２２】
この発明の第２の局面におけるインクシートカートリッジは、印字を行うためのインクシートと、インクシートが巻き付けられた供給ボビンと、インクシートを巻き取るための巻取ボビンと、上側部品と下側部品とから構成されることにより上下に分割可能であり、供給ボビンおよび巻取ボビンを回転可能に収納するボビン収納ケースとを備え、上側部品および下側部品の一方には、凸状の係合部が一体的に設けられており、上側部品および下側部品の他方には、凸状の係合部のガイドになるガイド部と凸状の係合部を固定する係止部とを有する溝部が設けられている。
【００２３】
この発明の第２の局面におけるインクシートカートリッジでは、上記のように、上側部品および下側部品の一方に、凸状の係合部を設けるとともに、上側部品および下側部品の他方に、凸状の係合部のガイドになるガイド部と凸状の係合部を固定する係止部とを有する溝部を設けることにより、上側部品と下側部品とを組み立てる際には、凸状の係合部が溝部のガイド部に沿ってガイドされた後、溝部の係止部と係合するので、凸状の係合部に必要以上の荷重が加わるのを抑制することができる。また、凸状の係合部を係止部から離間することにより凸状の係合部と係止部との固定を解除することができるので、上側部品と下側部品とを容易に分解することができる。これにより、ボビン収納ケースの組立および分解を容易に行うことができる。また、上側部品および下側部品の一方に、凸状の係合部を一体的に設けることにより、凹状の係合部を設けたとしても、部品点数が増加するのを抑制することができる。
【００２４】
上記第２の局面によるインクシートカートリッジにおいて、好ましくは、上側部品は、凸状の係合部が外側面に設けられた爪部を含み、下側部品は、爪部が挿入される凹状の挿入部を含み、溝部は、凹状の挿入部の内側面に設けられている。このように構成すれば、爪部が凹状の挿入部に挿入されることにより、爪部に設けられた凸状の係合部が、凹状の挿入部の内側面に設けられた溝部に係合する。これにより、爪部が溝部のガイド部に沿って湾曲されながらガイドされ、爪部に設けられた凸状の係合部がガイド部の端部の位置で爪部の湾曲が元に戻る方向にガイドされるので、爪部に設けられた凸状の係合部が凹状の挿入部の側面に設けられた溝部の係止部と当接して固定される。また、爪部を押し込むことにより、爪部に設けられた凸状の係合部と凹状の挿入部の側面に設けられた溝部の係止部とが離間して、係合部の固定が解除される。その結果、ボビン収納ケースの組立および分解を容易に行うことができる。
【００２５】
上記第２の局面によるインクシートカートリッジにおいて、好ましくは、爪部が凹状の挿入部に挿入されて、爪部に設けられた凸状の係合部が係止部により固定された状態で、爪部の外表面部がボビン収納ケースの外面部から突出することなく上側部品と下側部品とが固定される。このように構成すれば、ボビン収納ケースの外表面部に突出部が形成されることがないので、ボビン収納ケースの外形が大きくなるのを防止することができるとともに、突出部がプリンタ内部の部品と接触するという不都合が発生するのを防止すること
ができる。
【００２６】
上記第２の局面によるインクシートカートリッジにおいて、好ましくは、凸状の係合部は、爪部の両外側面のそれぞれに設けられており、溝部は、凹状の挿入部の両内側面のそれぞれに設けられている。このように構成すれば、一対の凸状の係合部が、一対の溝部と係合することにより、爪部をより安定的に溝部のガイド部に沿ってガイドすることができるとともに、一対の溝部の係止部と一対の凸状の係合部とが当接することにより、より安定的に凸状の係合部を固定することができる。
【００２７】
上記第２の局面によるインクシートカートリッジにおいて、好ましくは、溝部のガイド部の入り口近傍には、面取部が設けられている。このように構成すれば、溝部のガイド部の入り口近傍が広くなるので、爪部に設けられた凸状の係合部を凹状の挿入部の側面に設けられた溝部のガイド部に容易に係合させることができる。これにより、ボビン収納ケースの組立をより容易に行うことができる。
【発明を実施するための最良の形態】
【００２８】
以下、本発明を具体化した実施形態を図面に基づいて説明する。
【００２９】
図１は、本発明の一実施形態によるインクシートカートリッジの分解斜視図である。図２は、図１に示した本発明の一実施形態によるインクシートカートリッジの固定部分の詳細図である。図３は、図２の３００−３００線に沿った断面図である。図４〜図１５は、図１に示した本発明の一実施形態によるインクシートカートリッジの詳細構造を説明するための図である。図１〜図１５を参照して、本発明の一実施形態によるインクシートカートリッジの構造について説明する。
【００３０】
本発明の一実施形態によるインクシートカートリッジ１０は、図１に示すように、ボビン収納ケース１を構成する樹脂製の上側部品２および樹脂製の下側部品３と、インクシート６を供給する供給ボビン４と、インクシート６を巻き取る巻取ボビン５と、インクシート６と、供給ボビン４および巻取ボビン５をボビン収納ケース１の一方端に付勢するための圧縮コイルバネ７とを備えている。
【００３１】
また、図１に示すように、ボビン収納ケース１を構成する上側部品２は、供給ボビン４を収納する供給ボビン収納部２ａと、巻取ボビン５を収納する巻取ボビン収納部２ｂと、供給ボビン収納部２ａと巻取ボビン収納部２ｂとを連結する連結部２ｃおよび２ｄとを備えている。また、上側部品２の連結部２ｄには、印刷時にかかる負荷によってインクシートカートリッジ１０がねじれるのを防止するための補強部２ｊが、連結部２ｄの表面に対して垂直方向に延びるように設けられている。また、供給ボビン収納部２ａの内部には、供給ボビン４を回転可能に保持する供給ボビン保持部２ｅが設けられ、巻取ボビン収納部２ｂの内部には、巻取ボビン５を回転可能に保持する巻取ボビン保持部２ｆが設けられている。また、上側部品２の供給ボビン収納部２ａおよび巻取ボビン収納部２ｂの一方の側端面には、下側部品３を固定するためのコの字形状の３つの嵌合部２ｇが設けられている。さらに、上側部品２の供給ボビン収納部２ａおよび巻取ボビン収納部２ｂの他方の端部側には、下側部品３を固定するための下側に突出した２つの爪部２ｈが設けられている。
【００３２】
ここで、本実施形態におけるインクシートカートリッジ１０では、図２および図８に示すように、上側部品２に設けられた爪部２ｈの両外側面に、それぞれ、凸状の係合部２ｉが一体的に設けられている。
【００３３】
また、本実施形態では、図５に示すように、爪部２ｈは、上側部品２と下側部品３とを固定した状態で、爪部２ｈの外表面部がボビン収納ケース１の下側部品３の外面部と同一
面になるように形成されている。
【００３４】
また、図１に示すように、ボビン収納ケース１を構成する下側部品３は、上側部品２と同様に、供給ボビン４を収納する供給ボビン収納部３ａと、巻取ボビン５を収納する巻取ボビン収納部３ｂと、供給ボビン収納部３ａと巻取ボビン収納部３ｂとを連結する連結部３ｃおよび３ｄとを備えている。また、供給ボビン収納部３ａの内部には、供給ボビン４を回転可能に支持する供給ボビン支持部３ｅが設けられ、巻取ボビン収納部３ｂの内部には、巻取ボビン５を回転可能に支持する巻取ボビン支持部３ｆが設けられている。また、下側部品３の供給ボビン収納部３ａおよび巻取ボビン収納部３ｂの一方の側端面には、上側部品２のコの字形状の３つの嵌合部２ｇと嵌合する３つの突起部３ｇが設けられている。また、下側部品３の供給ボビン収納部３ａおよび巻取ボビン収納部３ｂの他方の端部側には、上側部品２の２つの爪部２ｈが挿入される２つの挿入部３ｈが設けられている。
【００３５】
ここで、本実施形態のインクシートカートリッジ１０では、図２、図３および図７に示すように、下側部品３に設けられた凹状の挿入部３ｈの両内側面には、それぞれ、溝部３ｉが設けられている。また、溝部３ｉは、爪部２ｈに設けられた凸状の係合部２ｉをガイドすることにより爪部２ｈを湾曲させるガイド部３１ｉと、湾曲した爪部２ｈがもとに戻ることにより凸状の係合部２ｉを固定する係止部３２ｉとを備えている。また、溝部３ｉの入り口近傍には、面取部３３ｉが設けられている。
【００３６】
また、図１に示すように、供給ボビン４には、供給するためのインクシート６が巻き付けられるシート供給側軸部４ａと、フランジ部４ｂと、駆動側軸部４ｃと、駆動側軸部４ｃ側に設けられ、図示しないプリンタのボビン駆動リールに係合する３つの凹部を有する係合部４ｄと、従動側軸部４ｅとが設けられている。
【００３７】
また、巻取ボビン５には、供給ボビン４から供給されるインクシート６が巻き取られるシート巻取側軸部５ａと、フランジ部５ｂと、駆動側軸部５ｃと、駆動側軸部５ｃ側に設けられ、図示しないプリンタのボビン駆動リールに係合する３つの凹部を有する係合部５ｄと、従動側軸部５ｅとが設けられている。
【００３８】
また、図１、図４および図５に示すように、本実施形態によるインクシートカートリッジ１０では、供給ボビン４が下側部品３の供給ボビン支持部３ｅに配置され、巻取ボビン５が下側部品３の巻取ボビン支持部３ｆに配置される。また、供給ボビン４の従動側軸部４ｅおよび巻取ボビン５の従動側軸部５ｅには、それぞれ、圧縮コイルバネ７が取り付けられることにより、供給ボビン４および巻取ボビン５が、それぞれ、ボビン収納ケース１の一方端に付勢される。この状態で、上側部品２と下側部品３とが固定されることにより、本実施形態によるインクシートカートリッジ１０が組み立てられる。インクシートカートリッジ１０が組み立てられた状態では、供給ボビン４は、フランジ部４ｂが、ボビン収納ケース１内の供給ボビン保持部２ｅおよび巻取ボビン支持部３ｅと当接することにより、外部に飛び出すことなく配置され、巻取ボビン５も、供給ボビン４と同様に、フランジ部５ｂが、ボビン収納ケース１内の巻取ボビン保持部２ｆおよび巻取ボビン支持部３ｆと当接することにより、外部に飛び出すことなく配置されている。さらに、図４に示すように、供給ボビン４および巻取ボビン５は、それぞれ、圧縮コイルバネ７により、図４の矢印Ｄ方向に付勢されている。
【００３９】
次に、図６〜図１５を参照して、本実施形態によるインクシートカートリッジ１０の上側部品２と下側部品３との組立方法および分解方法について説明する。まず、図６および図７に示すように、上側部品２のコの字形状の３つの嵌合部２ｇを、下側部品３の３つの突起部３ｇに嵌合させる。その後、上側部品２の爪部２ｈを、図６、図８、図１０および図１１の矢印Ｃ方向に移動することによって、下側部品３の凹状の挿入部３ｈに挿入する
。この状態では、図１０に示すように、爪部２ｈの両外側面に設けられた一対の凸状の係合部２ｉが、凹状の挿入部３ｈの両内側面に設けられた一対の溝部３ｉのガイド部３１ｉの入り口近傍に位置する状態となっている。この状態から爪部２ｈを図１０の矢印Ｃ方向に移動することによって凹状の挿入部３ｈに挿入していくと、図１１に示すように、爪部２ｈに設けられた凸状の係合部２ｉは、溝部３ｉのガイド部３１ｉに沿って図１１の矢印Ｅ方向にガイドされる。これにより、爪部２ｈが湾曲した状態となる。さらに、爪部２ｈを、図１１の矢印Ｃ方向に移動することによって挿入部３ｈに挿入していくと、図１２に示すように、爪部２ｈの凸状の係合部２ｉがガイド部３１ｉの端部の位置に達して、図１２の矢印Ｆ方向にガイドされる。このため、爪部２ｈの湾曲がもとに戻るので、凸状の係合部２ｉが溝部３ｉの係止部３２ｉと当接した状態となる。この状態では、図５に示したように、上側部品２と下側部品３とが固定されて、ボビン収納ケース１が組み立てられた状態となる。
【００４０】
また、ボビン収納ケース１を分解する場合には、図１３に示すように、爪部２ｈを図１３の矢印Ｇ方向に押し込むことにより、爪部２ｈに設けられた凸状の係合部２ｉと溝部３ｉの係止部３２ｉとの係合が解除される。この状態から、上側部品２を図１４に示す矢印Ｈ方向に持ち上げることによって、凸状の係合部２ｉが溝部３ｉのガイド部３１に沿って上側に移動する。そして、図１５に示すように、さらに上側部品２を図１５の矢印Ｈ方向に持ち上げることにより、上側部品２と下側部品３とが分解される。
【００４１】
本実施形態では、上記のように、ボビン収納ケース１の上側部品２を、外側面に凸状の係合部２ｉが設けられた爪部２ｈを含むように構成するとともに、ボビン収納ケース１の下側部品３を、爪部２ｈが挿入される凹状の挿入部３ｈを含むように構成し、かつ、凹状の挿入部３ｈの内側面に、爪部２ｈに設けられた凸状の係合部２ｉをガイドすることにより爪部２ｈを湾曲させるガイド部３１ｉと湾曲した爪部２ｈがもとに戻ることにより凸状の係合部２ｉを固定する係止部３２ｉとを有する溝部３ｉを設けることにより、上側部品２と下側部品３とを組み立てる際には、凸状の係合部２ｉが溝部３ｉのガイド部３１ｉに沿ってガイドされた後、溝部３ｉの係止部３２ｉと係合するので、凸状の係合部２ｉに必要以上の荷重が加わるのを抑制することができる。また、爪部２ｈを押し込むことにより、爪部２ｈに設けられた凸状の係合部２ｉが、凹状の挿入部３ｈの側面に設けられた溝部３ｉの係止部３２ｉから離間することにより凸状の係合部２ｉと係止部３２ｉとの係合を解除することができるので、上側部品２と下側部品３とを容易に分解することができる。これにより、ボビン収納ケース１の組立および分解を容易に行うことができる。
【００４２】
また、本実施形態では、上側部品２に設けられた爪部２ｈの側面に、凸状の係合部２ｉを一体的に設けることにより、凸状の係合部２ｉを設けたとしても、部品点数が増加するのを抑制することができる。
【００４３】
また、本実施形態では、爪部２ｈが凹状の挿入部３ｈに挿入されて、爪部２ｈに設けた凸状の係合部２ｉが溝部３ｉの係止部３１ｉにより固定された状態で、爪部２ｈの外表面部がボビン収納ケース１の下側部品３の外面部から突出することなく上側部品２と下側部品３とが固定されることにより、ボビン収納ケース１の外表面部に突出部が形成されることがないので、ボビン収納ケース１の外形が大きくなるのを防止することができるとともに、突出部がプリンタ内部の部品と接触するという不都合が発生するのを防止することができる。
【００４４】
また、本実施形態では、凸状の係合部２ｉを、爪部２ｈの両外側面のそれぞれに設けるとともに、溝部３ｉを、凹状の挿入部３ｈの両内側面のそれぞれに設けることにより、一対の凸状の係合部２ｉが、一対の溝部３ｉと係合する。このため、爪部２ｈをより安定的に溝部３ｉのガイド部３１ｉに沿ってガイドすることができるとともに、一対の溝部３ｉ
の係止部３２ｉと一対の凸状の係合部２ｉとが当接することにより、より安定的に凸状の係合部２ｉを固定することができる。
【００４５】
また、本実施形態では、溝部３ｉのガイド部３１ｉの入り口近傍に、面取部３３ｉを設けることにより、溝部３ｉのガイド部３１ｉの入り口近傍が広くなるので、爪部２ｈに設けられた凸状の係合部２ｉを凹状の挿入部３ｈの側面に設けられた溝部３ｉのガイド部３１ｉに容易に係合させることができる。これにより、ボビン収納ケース１の組立をより容易に行うことができる。
【００４６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４７】
たとえば、上記実施形態では、ボビン収納ケースの上側部品に凸状の係合部が設けられた爪部を含み、下側部品に溝部が設けられた凹状の挿入部を含むように構成した例を示したが、本発明はこれに限らず、上側部品に溝部が設けられた凹状の挿入部を含み、下側部品に凸状の係合部が設けられた爪部を含む構成にしてもよい。
【００４８】
また、上記実施形態では、凸状の係合部を爪部の側面に設け、溝部を凹状の挿入部の側面に設けた例を示したが、本発明はこれに限らず、凸状の係合部を爪部以外の部分に設け、また、溝部を凹状の挿入部以外の部分に設けてもよい。
【００４９】
また、上記実施形態では、凸状の係合部を爪部の両側面のそれぞれに設け、溝部を凹状の挿入部の両側面のそれぞれに設けた例を示したが、本発明はこれに限らず、凸状の係合部および溝部を、それぞれ、爪部の一方の側面および凹状の挿入部の一方の側面のみに設けてもよい。
【００５０】
また、上記実施形態では、上側部品と下側部品とを固定した状態で、爪部の外面部がボビン収納ケースの外面部と同一面となるように爪部を形成したが、本発明はこれに限らず、爪部が、ボビン収納ケースの外面部から突出しなければ、同一面でなくてかまわない。
【図面の簡単な説明】
【００５１】
【図１】本発明の一実施形態によるインクシートカートリッジの分解斜視図である。
【図２】図１に示した本発明の一実施形態によるインクシートカートリッジの固定部分の詳細図である。
【図３】図２の３００−３００線に沿った断面図である。
【図４】下側部品に供給ボビンおよび巻取ボビンを配置した状態の平面図である。
【図５】図１に示した本発明の一実施形態によるインクシートカートリッジの全体斜視図である。
【図６】図１に示した本発明の一実施形態によるインクシートカートリッジのインクシートボビンを省略した状態の斜視図である。
【図７】図５の４００−４００線に沿った断面図である。
【図８】図５の５００−５００線に沿った断面図である。
【図９】図５の５００−５００線に沿った断面図である。
【図１０】図１に示した本発明の一実施形態によるインクシートカートリッジの固定部分の動作を説明するための詳細図である。
【図１１】図１に示した本発明の一実施形態によるインクシートカートリッジの固定部分の動作を説明するための詳細図である。
【図１２】図１に示した本発明の一実施形態によるインクシートカートリッジの固定部分の動作を説明するための詳細図である。
【図１３】図１に示した本発明の一実施形態によるインクシートカートリッジの固定部分の動作を説明するための詳細図である。
【図１４】図１に示した本発明の一実施形態によるインクシートカートリッジの固定部分の動作を説明するための詳細図である。
【図１５】図１に示した本発明の一実施形態によるインクシートカートリッジの固定部分の動作を説明するための詳細図である。
【図１６】従来のインクシートカートリッジの分解斜視図である。
【図１７】従来のインクシートカートリッジの全体斜視図である。
【図１８】従来のインクシートカートリッジのインクシートボビンを省略した状態の斜視図である。
【図１９】図１７の２００−２００線に沿った断面図である。
【図２０】図１７の２００−２００線に沿った断面図である。
【図２１】従来のインクシートカートリッジの固定部の詳細図である。
【図２２】従来のインクシートカートリッジの固定部の動作を説明するための詳細図である。
【図２３】従来のインクシートカートリッジの固定部の動作を説明するための詳細図である。
【符号の説明】
【００５２】
１      ボビン収納ケース
２      上側部品
３      下側部品
６      インクシート
４      供給ボビン
５      巻取ボビン
２ｈ    爪部
２ｉ    係合部
３ｈ    挿入部
３ｉ    溝部
１０    インクシートカートリッジ
３３ｉ  面取部
３１ｉ  ガイド部
３２ｉ  係止部
【図１】
2006297851.tif 000003
【図２】
2006297851.tif 000004
【図３】
2006297851.tif 000005
【図４】
2006297851.tif 000006
【図５】
2006297851.tif 000007
【図６】
2006297851.tif 000008
【図７】
2006297851.tif 000009
【図８】
2006297851.tif 000010
【図９】
2006297851.tif 000011
【図１０】
2006297851.tif 000012
【図１１】
2006297851.tif 000013
【図１２】
2006297851.tif 000014
【図１３】
2006297851.tif 000015
【図１４】
2006297851.tif 000016
【図１５】
2006297851.tif 000017
【図１６】
2006297851.tif 000018
【図１７】
2006297851.tif 000019
【図１８】
2006297851.tif 000020
【図１９】
2006297851.tif 000021
【図２０】
2006297851.tif 000022
【図２１】
2006297851.tif 000023
【図２２】
2006297851.tif 000024
【図２３】
2006297851.tif 000025